(57)【要約】【課題】複数のＤＣ／ＤＣコンバータを備えているパワーコンディショナにおいて、太陽電池ユニットを接続しているＤＣ／ＤＣコンバータが故障すると、太陽電池ユニットから発電電力を取り出すことはできなくなってしまった。【解決手段】複数のＤＣ／ＤＣコンバータを有するパワーコンディショナにおいて、現在、太陽電池ユニットが接続されているＤＣ／ＤＣコンバータが、なんらかの要因で故障して太陽電池ユニットからの発電電力を取り出すことができなくなった場合に、未使用のＤＣ／ＤＣコンバータなど、代替可能なＤＣ／ＤＣコンバータとの接続に切り替えて発電を継続する。これにより、故障したＤＣ／ＤＣコンバータに接続されていた太陽電電池ユニットからの発電電力の損失を極力抑え、発電を継続することが可能となる。【選択図】図２
2018074847.tif 000002
【特許請求の範囲】
【請求項１】
複数の外部直流電源と電路を介して接続され、前記外部直流電源のからの入力を任意の直流電圧として出力する複数のＤＣ／ＤＣコンバータと、
前記電路に設けられ、前記ＤＣ／ＤＣコンバータと任意の前記外部直流電源とを電気的に接続状態もしくは開放状態にするコンバータ切替回路と、
前記ＤＣ／ＤＣコンバータの動作状態を検出するコンバータ状態判別部と、
前記コンバータ切替回路を制御する制御部とを備え、
前記制御部は、前記コンバータ状態判別部が前記ＤＣ／ＤＣコンバータから故障したＤＣ／ＤＣコンバータを検出した場合、前記コンバータ切替回路を操作して前記故障したＤＣ／ＤＣコンバータと前記外部直流電源との電気的接続を開放し、前記故障したＤＣ／ＤＣコンバータの代わりを前記ＤＣ／ＤＣコンバータから選出して前記外部直流電源と電気的に接続することを特徴とするパワーコンディショナ。
【請求項２】
前記制御部は、
前記複数の前記ＤＣ／ＤＣコンバータの動作状態を基に、前記外部直流電源が接続されていない前記ＤＣ／ＤＣコンバータから前記故障したＤＣ／ＤＣコンバータの代わりを選択することを特徴とする請求項１記載のパワーコンディショナ。
【請求項３】
前記外部直流電源の発電電力量のデータを蓄積する運転状況蓄積部をさらに備え、
前記制御部は、
前記故障したＤＣ／ＤＣコンバータの代わりを、前記運転状況蓄積部に蓄積された積算発電電力量が最も少ない前記外部直流電源に接続された前記ＤＣ／ＤＣコンバータとすることを特徴とする、請求項１記載のパワーコンディショナ。
【請求項４】
前記制御部は、
前記故障したＤＣ／ＤＣコンバータの代わりを、
前記運転状況蓄積部に蓄積された過去の平均発電電力量が最も少ない前記外部直流電源に接続された前記ＤＣ／ＤＣコンバータとすることを特徴とする、請求項３記載のパワーコンディショナ。
【請求項５】
前記運転状況蓄積部は、前記ＤＣ／ＤＣコンバータの出力電力量を前記外部直流電源の発電電力量として蓄積することを特徴とする請求項３もしくは請求項４のいずれか１項に記載のパワーコンディショナ。
【請求項６】
外部機器と接続して前記制御部と通信するための外部通信部をさらに有し、前記外部機器は、前記制御部から送信される情報により、前記制御部に代わり前記コンバータ切替回路を制御することを特徴とする、請求項１から請求項５のいずれか１項に記載のパワーコンディショナ。
【発明の詳細な説明】
【技術分野】
【０００１】
本発明は、太陽電池で発電した直流電力を交流に変換して出力するよう構成されたパワーコンディショナに関する。
【背景技術】
【０００２】
従来のパワーコンディショナを含む太陽光発電システムでは、複数の太陽電池モジュールを直列に接続した太陽電池ストリングや、太陽電池ストリングを並列に接続した太陽電池アレイが用いられている。以降、太陽電池モジュール、太陽電池ストリング、太陽電池アレイなどの、パワーコンディショナに接続する太陽電池の単位を総称して太陽電池ユニットと表す。
太陽電池ユニットが接続されたパワーコンディショナでは、太陽電池ユニット個々の発電電力を最大限引き出すために、太陽電池ユニット個々の発電電力に対してＤＣ／ＤＣコンバータを設け、このＤＣ／ＤＣコンバータにてＭＰＰＴ（Maximum Power Point Tracking）と呼ばれる制御を行う方法が提案されている（例えば特許文献１）。
【先行技術文献】
【特許文献】
【０００３】
【特許文献１】特開２０１２−１３７８３０号公報
【発明の概要】
【発明が解決しようとする課題】
【０００４】
しかしながら、上記した従来のパワーコンディショナでは、ＤＣ／ＤＣコンバータが故障した場合、接続されている太陽電池ユニットから発電電力を取り出すことができなくなるという問題があった。
【０００５】
この発明は、上記した問題点を解決するためになされたものであり、ＤＣ／ＤＣコンバータが故障しても、接続されている太陽電池ユニットの発電電力を継続して利用することができるパワーコンディショナを得ることを目的とする。
【課題を解決するための手段】
【０００６】
複数の外部直流電源と電路を介して接続され、外部直流電源からの入力を任意の直流電圧として出力する複数のＤＣ／ＤＣコンバータと、
電路に設けられ、前記ＤＣ／ＤＣコンバータの入力と、任意の外部直流電源の出力とを電気的に接続状態もしくは開放状態にするコンバータ切替回路と、
ＤＣ／ＤＣコンバータの動作状態を検出するコンバータ状態判別部と、
コンバータ切替回路を電気的に接続状態もしくは開放状態に設定する制御部とを備え、
制御部は、ＤＣ／ＤＣコンバータの動作状態から故障したＤＣ／ＤＣコンバータを検出した場合、コンバータ切替回路を操作して故障したＤＣ／ＤＣコンバータに接続されている第１の外部直流電源との電気的接続を開放し、ＤＣ／ＤＣコンバータの中から故障したＤＣ／ＤＣコンバータの代替可能なＤＣ／ＤＣコンバータを判定し、代替可能と判定されたＤＣ／ＤＣコンバータと第１の外部直流電源とを電気的に接続する。
【発明の効果】
【０００７】
上記のように構成されたパワーコンディショナは、ＤＣ／ＤＣコンバータが故障しても、接続されている太陽電池ユニットの発電電力を継続して利用することができる。
【図面の簡単な説明】
【０００８】
【図１】この発明の実施の形態１における、パワーコンディショナ１の全体図である。
【図２】この発明の実施の形態１における、パワーコンディショナ１で、ＤＣ／ＤＣコンバータが故障した場合の全体図である。
【図３】この発明の実施の形態１における、パワーコンディショナ１で、ＤＣ／ＤＣコンバータが故障した場合の動作フロー図である。
【図４】この発明の実施の形態１における、コンバータ切替回路１１の制御を外部機器５にて行う場合の全体図である。
【図５】この発明の実施の形態２における、パワーコンディショナ１００の全体図である。
【図６】この発明の実施の形態２における、パワーコンディショナ１００の動作フロー図である。
【図７】この発明の実施の形態２における、パワーコンディショナ１００の動作フロー図である。
【図８】この発明の実施の形態２における、パワーコンディショナ１００の動作フロー図である。
【発明を実施するための形態】
【０００９】
実施の形態１．
以下実施の形態１について、図１〜図４を用いて説明する。なお本実施の形態１では、外部直流電源は太陽電池ユニットを用いたシステムにて説明する。なお、外部直流電源は太陽電池以外を用いてもよい。
図１は実施の形態１における、パワーコンディショナ１の全体図である。図において、パワーコンディショナ１は、コンバータ切替回路１１、複数のＤＣ／ＤＣコンバータ１２、ＤＣ／ＡＣインバータ１３、コンバータ状態判別部１４、制御部１５、から構成される。また、ＤＣ／ＤＣコンバータ１２は、それぞれ、ＤＣ／ＤＣコンバータ回路１８、状態計測回路１９から構成される。
【００１０】
太陽電池ユニット２ａ、２ｂが出力する発電電力は、コンバータ切替回路１１を介して、ＤＣ／ＤＣコンバータ１２ａ、１２ｂに入力され、任意の直流電圧に変換される。ＤＣ／ＤＣコンバータ１２ａ、１２ｂの出力電力は加算されてＤＣ／ＡＣインバータ１３に出力される。ＤＣ／ＡＣインバータ１３に入力された直流電力は、交流電力に変換されて系統電源３に出力される。
【００１１】
コンバータ切替回路１１は複数の入力端子２０a〜２０ｄと出力端子２１ａ〜２１ｄを持つ。入力端子２０ａ及び２０ｂにはそれぞれ太陽電池ユニット２ａ、２ｂが接続される。また入力端子２０ｃ及び２０ｄには太陽電池ユニットが接続されていない。また、コンバータ切替回路１１は複数の出力端子２１ａ〜２１ｄを持ち、各出力端子には個々にＤＣ／ＤＣコンバータ１２ａ〜１２ｄが接続されている。コンバータ切替回路１１内部には、複数の出力端子２１ａ〜２１ｄと複数の入力端子２０ａ〜２０ｄとを一対一で電気的に接続状態、もしくは非接続状態にする接続スイッチ１１ａ〜１１ｄが設けられている。制御部１５は、制御信号３０によって接続スイッチ１１ａ〜１１ｄを自由に制御することができ、出力端子２１ａ〜２１ｄと入力端子２０ａ〜２０から任意の入力端子と接続する接続状態か、あるいはどの入力端子とも接続しない非接続状態のいずれかに設定できる。なお、制御部１５からの制御信号３０が入力されない場合は、接続スイッチ１１ａ〜１１ｄは全て非接続状態となる。
図１では、制御信号３０による指示にて、接続スイッチ１１ａ〜１１ｄは入力端子２０a〜２０ｄと出力端子２１ａ〜２１ｄに対し、接続スイッチ１１ａは入力端子２０ａと出力端子２１ａ、接続スイッチ１１ｂは入力端子２０ｂと出力端子２１ｂ、接続スイッチ１１ｃは入力端子２０ｃと出力端子２１ｃ、接続スイッチ１１ｄは入力端子２０ｄと出力端子２１ｄを接続している。例えば太陽電池ユニット２ａの出力電圧を任意のＤＣ／ＤＣコンバータ、ここではＤＣ／ＤＣコンバータ１２ｄに入力し、太陽電池ユニット２ｂの出力電圧をＤＣ／ＤＣコンバータ１２ａに出力する場合は、接続スイッチ１１ａは入力端子２０ｂと出力端子２１a、接続スイッチ１１ｂは開放状態、接続スイッチ１１ｃは入力端子２０ｃと出力端子２１ｃ、接続スイッチ１１ｄは入力端子２０aと出力端子２１ｄを接続するように設定する。
【００１２】
ＤＣ／ＤＣコンバータ１２ａ〜１２ｄは、コンバータ切替回路１１から出力された直流電圧を任意の直流電圧に変換する。ＤＣ／ＤＣコンバータ１２ａ〜１２ｄはいずれも同一の回路で構成され、例えばＤＣ／ＤＣコンバータ１２ａは、ＤＣ／ＤＣコンバータ回路１８及び状態計測回路１９で構成される。出力端子２１ａとＤＣ／ＤＣコンバータ回路１８及び状態計測回路１９とは接続され、出力端子２１ａの直流電圧は、ＤＣ／ＤＣコンバータ回路１８及び状態計測回路１９に入力される。ＤＣ／ＤＣコンバータ回路１８は直流入力電圧を制御部１５からの制御信号２２ａ〜２２ｄに基づき任意の直流電圧に変換して、ＤＣ／ＡＣインバータ１３に出力する。制御部１５は制御信号２２ａ〜２２ｄによって、各ＤＣ／ＤＣコンバータの入力電圧に対する出力電圧の比率（以降昇圧率と称す）Ｂｓの情報をＤＣ／ＤＣコンバータ１２ａ〜１２ｄに送信する。例えば、ＤＣ／ＤＣコンバータ１２ａの昇圧率をＢｓａ、ＤＣ／ＤＣコンバータ１２ｂの昇圧率をＢｓｂ、ＤＣ／ＤＣコンバータ１２ｃ、１２ｄの昇圧率をＢｓｃ，Ｂｓｄとして、制御信号２２ａ〜２２ｄを介して各ＤＣ／ＤＣコンバータに送信する。各ＤＣ／ＤＣコンバータ１２ａ〜１２ｄは、入力電圧に昇圧率Ｂｓａ〜Ｂｓｄ乗じた電圧を出力するよう、入力電圧を昇圧する。
状態計測回路１９は、ＤＣ／ＤＣコンバータ回路１８の動作状態を検出する。状態計測回路１９は、電圧計測機能や電流計測機能、周波数計測機能を有し、例えば電流電圧計３１及び３２にてＤＣ／ＤＣコンバータ回路１８の入出力電圧や入出力電流、あるいはＤＣ／ＤＣコンバータ回路１８内部に設けられたスイッチング回路のスイッチング周波数等を計測し、計測値をコンバータ状態判別部１４に出力する。
【００１３】
ＤＣ／ＤＣコンバータ１２ａ〜１２ｄの出力電力は加算され、ＤＣ／ＡＣインバータ１３に入力される。ＤＣ／ＡＣインバータ１３は直流入力電力に対して直流交流変換を行い、系統電源３に交流電力を出力する。コンバータ状態判別部１４は、制御部１５から出力される制御信号２２ａ〜２２ｄと状態計測回路１９で計測された計測値とから、ＤＣ／ＤＣコンバータ１２ａ〜１２ｄの動作状態を判別し、判別結果を制御部１５に出力する。コンバータ状態判別部１４は、各ＤＣ／ＤＣコンバータが正常動作しているか故障しているか、あるいは入力端子２０ａ〜２０ｄに太陽電池ユニットが未接続状態であるか等を判別することが出来る。
コンバータ状態判別部１４におけるＤＣ／ＤＣコンバータ１２ａ〜１２ｄ個々の状態判別方法はいろいろ考えられる。例えば状態計測回路１９にてＤＣ／ＤＣコンバータ回路１８の入力電圧と出力電圧を常時計測し、一定期間入力電圧が０Ｖである場合、コンバータ状態判別部１４はコンバータ切替回路１１を介して接続される太陽電池ユニットが存在しないと判断する。また各ＤＣ／ＤＣコンバータ１２ａ〜１２ｄが、制御部１５からの制御信号２２a〜２２ｄにて入力電圧に対して所定の電圧値に昇圧するよう制御されたにもかかわらず、状態計測回路１９のＤＣ／ＤＣコンバータ回路１８の出力電圧が入力電圧に対して昇圧されていない場合、コンバータ状態判別部１４はＤＣ／ＤＣコンバータ回路１８が故障していると判断する。
制御部１５は太陽電池ユニット２ａ、２ｂからの出力電力に対して、ＭＰＰＴ制御を行う。このために制御部１５はＤＣ／ＤＣコンバータ１２ａ〜１２ｄに対して、ＤＣ／ＤＣコンバータ１２ａ〜１２ｄの入力電圧を昇圧／降圧する制御量を、制御信号２２ａ〜２２ｄとして出力する。また制御部１５は、コンバータ状態判別部１４からの各ＤＣ／ＤＣコンバータ１２ａ〜１２ｄの状態に関する判断結果から、コンバータ切替回路１１を制御して、コンバータ切替回路１１の各出力端子２１ａ〜２１を、入力端子２０ａ〜２０ｄのいずれかと接続状態とするか、あるいはどの入力端子とも接続しない非接続状態とするかのいずれかに設定する。
【００１４】
次に、パワーコンディショナ１が日中正常に動作している最中に、ＤＣ／ＤＣコンバータ１２ａ〜１２ｄのうち、ＤＣ／ＤＣコンバータ１２ｂのみが故障した場合のパワーコンディショナ１の動作の一例を、図２及び図３を用いて説明する。図２はＤＣ／ＤＣコンバータ１２ｂが故障した際のパワーコンディショナ１の全体構成図で、図１と同一構成である。また図３は、パワーコンディショナ１における動作フロー図である。
太陽電池ユニット２ａ、および２ｂがコンバータ切替回路１１の入力端子２０ａおよび２０ｂに接続され、入力端子２０ｃ、２０ｄには太陽電池ユニットが接続されていない。
太陽電池ユニット２ａ、２ｂからの発電が正常に行なわれている日中において、コンバータ切替回路１１内の接続スイッチ１１ａ〜１１ｄは、制御部１５からの制御信号３０により、接続スイッチ１１ａは入力端子２０ａと出力端子２１ａ、接続スイッチ１１ｂは入力端子２０ｂと出力端子２１ｂ、接続スイッチ１１ｃは入力端子２０ｃと出力端子２１ｃ、接続スイッチ１１ｄは入力端子２０ｄと出力端子２１ｄを接続する。この結果、太陽電池ユニット２ａ、２ｂの発電電力はＤＣ／ＤＣコンバータ１２ａ、１２ｂに入力される。また入力端子２０ｃ及び入力端子２０ｄには太陽電池ユニットが接続されていないので、ＤＣ／ＤＣコンバータ１２ｃとＤＣ／ＤＣコンバータ１２ｄの出力電力は０となる。よってＤＣ／ＤＣコンバータ１２ａとＤＣ／ＤＣコンバータ１２ｂの出力電力のみが加算されて、ＤＣ／ＡＣインバータ１３に入力される。また、各ＤＣ／ＤＣコンバータ１２ａ〜１２ｄの昇圧率Ｂｓａ〜Ｂｓｄは、Ｖｉａ〜ＶｉｄをＤＣ／ＤＣコンバータ１２ａ〜１２ｄの入力電圧、Ｖｏａ〜ＶｏｄをＤＣ／ＤＣコンバータ１２ａ〜１２ｄの出力電圧とすると、制御部１５からはＢｓａ＝Ｖｏａ／Ｖｉａ、Ｂｓｂ＝Ｖｏｂ／Ｖｉｂ  （昇圧率Ｂｓａ＞１，ＢＳｂ＞１），Ｂｓｃ＝Ｂｓｄ＝１という値が制御信号２２ａ〜２２ｄを介して各ＤＣ／ＤＣコンバータ１２ａ〜１２ｄに設定され、各ＤＣ／ＤＣコンバータ１２ａ〜１２ｄはこの昇圧率にて昇圧動作を行う。
【００１５】
ここで、各ＤＣ／ＤＣコンバータの状態計測回路１９は以下の計測値をコンバータ状態判別部１４に出力する（Ｓ１）。
ＤＣ／ＤＣコンバータ１２ａの入力電圧＝Ｖｉａ＞０、出力電圧＝Ｖｏａ＞０
ＤＣ／ＤＣコンバータ１２ｂの入力電圧＝Ｖｉｂ＞０、出力電圧＝０  
ＤＣ／ＤＣコンバータ１２ｃの入力電圧＝０、出力電圧＝０
ＤＣ／ＤＣコンバータ１２ｄの入力電圧＝０、出力電圧＝０
コンバータ状態判別部１４は、上記状態計測回路１９からの計測値と、制御信号２２ａ〜２２ｄにより得られる各ＤＣ／ＤＣコンバータ１２ａ〜１２ｄの昇圧率Ｂｓａ〜Ｂｓｄとを用いて、各ＤＣ／ＤＣコンバータの状態を以下のように正常動作、故障状態、未使用状態のいずれに該当するかを判定する（Ｓ２）。
（i）ＤＣ／ＤＣコンバータ１２ａは入力電圧と出力電圧の関係から、昇圧率Ｂｓａ＝Ｖｏａ／Ｖｉａとなり、制御部１５からの指示通り昇圧／降圧処理が行われるので正常状態。
（ii）ＤＣ／ＤＣコンバータ１２ｂは、制御部１５から設定された昇圧率Ｂｓｂ＞１であるにもかかわらず、出力電圧＝０なので故障状態。
（iii）ＤＣ／ＤＣコンバータ１２ｃ、１２ｄは入力電圧が０なので、ＤＣ／ＤＣコンバータ１２ｃ、１２ｄは未使用状態。
制御部１５は、コンバータ状態判別部１４の判定結果（Ｓ２）から、各ＤＣ／ＤＣコンバータ１２ａ〜１２ｄに故障があるか否かを検出し、全てのＤＣ／ＤＣコンバータ１２ａ〜１２ｄに故障が発見されない場合は処理を終了する（Ｓ３）。ＤＣ／ＤＣコンバータに故障が発見された場合、すなわちＤＣ／ＤＣコンバータ１２ｂが故障していることが検出された場合、制御部１５は未使用状態のＤＣ／ＤＣコンバータの有無を検出する（Ｓ４）。未使用のＤＣ／ＤＣコンバータが検出できない場合は処理を終了するが、未使用のＤＣ／ＤＣコンバータが存在する場合、すなわちＤＣ／ＤＣコンバータ１２ｃ、１２ｄが未使用であることが検出された場合、制御部１５は、故障したＤＣ／ＤＣコンバータ１２ｂの入力端子に接続される接続スイッチ１１ｂを非接続状態に設定する。さらに制御部１５は、故障したＤＣ／ＤＣコンバータ１２ｂに接続されていた太陽電池ユニット２ｂからの出力電力が未使用のＤＣ／ＤＣコンバータ１２ｃに入力されるよう、すなわち太陽電池ユニット２ｂとＤＣ／ＤＣコンバータ１２ｃとが接続状態になるように接続スイッチ１１ｃを設定する（Ｓ５）。この結果、故障したＤＣ／ＤＣコンバータ１２ｂに接続されていた太陽電池ユニット２ｂの発電電力は、引き続き未使用のＤＣ／ＤＣコンバータ１２ｃを介して、正常に動作しているＤＣ／ＤＣコンバータ１２ａの出力電力と加算されて、ＤＣ／ＡＣインバータ１３へ出力される。
【００１６】
本実施の形態においては、ＤＣ／ＤＣコンバータが故障した場合も代替のＤＣ／ＤＣコンバータを用いることにより、故障したＤＣ／ＤＣコンバータに接続されていた太陽電池ユニットの発電を継続することが可能となることから、ＤＣ／ＤＣコンバータの故障時における太陽電池ユニットからの発電電力の損失を極力防ぐことができる。
また、ＤＣ／ＤＣコンバータが故障した際に、正常に動作する未使用のＤＣ／ＤＣコンバータが存在する場合は、故障したＤＣ／ＤＣコンバータを修理することなく発電が継続できる。この結果、故障個所の修理のためにパワーコンディショナ全体を停止する必要がないので、修理費用を抑制しつつ、太陽電池ユニットからの出力電力を最大限使用することができる。
さらに、故障したＤＣ／ＤＣコンバータの修理を行う場合も、修理が完了するまでの間、未使用のＤＣ／ＤＣコンバータを利用して応急的に発電を継続することが可能であるので、ＤＣ/ＤＣコンバータの故障による太陽電池ユニットからの発電の停止状態を最小限に抑え、故障修理が完了するまので間に発電された電力を有効に使用することができる。
【００１７】
なお、図１、図２では、パワーコンディショナ１全体の制御を制御部１５にて実施し、あらかじめ定められた処理方法によって、コンバータ切替回路１１を制御していたが、パワーコンディショナ１の外部からコンバータ切替回路１１を制御できるようにしてもよい。
図４は、図１のパワーコンディショナ１に外部通信部１７を加え、パワーコンディショナ１がインターネット４を介して外部機器５と接続されるように構成したものである。外部機器５は例えばパソコンや、スマートホン等の情報端末などのネットワーク経由にて情報を送受信できるものである。図２において制御部１５はコンバータ状態判別部１４からの情報をもとにコンバータ切替回路１１を制御していたが、この制御を外部機器５にて行う。具体的には、外部機器５はインターネット４、外部通信部１７を介して制御部１５にアクセスする。また、制御部１５は外部機器５からアクセスされた場合は、外部機器５からの制御指示により制御部１５が持つ情報、例えばコンバータ状態判別部１４から得た各ＤＣ／ＤＣコンバータの動作状態等を外部機器５に対して送信する。また制御部１５は、外部機器５からコンバータ切替回路１１の制御命令を受信した場合は、外部機器５からの命令を優先してコンバータ切替回路１１を制御する。
外部機器５は、制御部１５から外部通信部１７、インターネット４を経由して制御部１５の持つＤＣ／ＤＣコンバータ１２ａ〜１２ｄの動作状態の情報を受信し、この情報を用いて制御部１５に対してコンバータ切替回路１１の制御信号を送信する。
このように構成することにより、制御部１５にて行うコンバータ切替回路１１への制御を、パワーコンディショナ１の外部に設けられた外部機器５にて制御することが可能になる。この結果、外部機器５は制御部１５であらかじめ想定しているコンバータ切替回路１１の切替方法とは異なる任意の切替方法を用いてコンバータ切替回路１１の制御を行うことが可能となり、制御部１５にて想定された制御以外の、パワーコンディショナ１の状態により適したコンバータ切替回路１１を行うことができる。さらに外部機器５においては、パワーコンディショナ１ネットワークを介して遠隔地より監視することができるので、ＤＣ／ＤＣコンバータ１２ａ〜１２ｄが制御部１５であらかじめ想定していない故障状態の場合にも、任意の制御方法にてコンバータ切替回路１１を制御できる。この結果あらゆるＤＣ／ＤＣコンバータの故障状態に対応したコンバータ切替回路１１の制御を行うことができるので、ＤＣ／ＤＣコンバータ故障時の太陽電池ユニットの発電電力の損失をさらに抑えることができる。
【００１８】
実施の形態２．
この発明の実施の形態２のパワーコンディショナ１００について、図５、図６、図７、図８を用いて説明する。なお、図５中、図１と同一符号は同一または相当部分を示す。図５における図１、図２との差異は、すべてのＤＣ／ＤＣコンバータ１２に各太陽電池ユニットが接続され、図１の構成に運転状況蓄積部１６を新たに設けている。運転状況蓄積部１６は、各太陽電池ユニットの発電量のデータとしてコンバータ状態判別部１４から出力されるＤＣ／ＤＣコンバータ１２ａ〜１２ｄ個々の過去の動作状態の情報を蓄積し、制御部１５からの要求に応じて蓄積した情報を制御部１５に出力するものである。また制御部１５は、運転状況蓄積部１６に蓄積されたＤＣ／ＤＣコンバータ１２ａ〜１２ｄの動作状態をもとに、コンバータ切替回路１１を制御するものであり、他の構成については図２と同一符号は同一機能を有する。
実施の形態１においては、ＤＣ／ＤＣコンバータ１２ｂが故障した際には太陽電池ユニットが接続されていない未使用のＤＣ／ＤＣコンバータ１２ｃを検出し、故障したＤＣ／ＤＣコンバータ１２ｂの代替として使用することにより、太陽電池ユニット２ｂの発電電力の利用を継続するものであった。本実施の形態２におけるパワーコンディショナ１００は、ＤＣ／ＤＣコンバータ故障時に代替のＤＣ／ＤＣコンバータを選択する方法として、各ＤＣ／ＤＣコンバータの出力電力値をデータとして蓄積し、未使用のＤＣ／ＤＣコンバータが存在しない場合には、その発電電力量がもっとも少ないＤＣ／ＤＣコンバータを故障したＤＣ／ＤＣコンバータの代替えとして使う方法について説明する。
【００１９】
以下、図５について各部の動作を説明する。パワーコンディショナ１００において、太陽電池ユニット２a〜２ｄは入力端子２０ａ〜２０ｄに接続されており、パワーコンディショナ１００が正常動作時は、太陽電池ユニット２a〜２ｄは接続スイッチ１１ａ〜１１ｄによってＤＣ／ＤＣコンバータ１２ａ〜１２ｄと一対一で電気的に接続されている。この状態では太陽電池ユニット２a〜２ｄの出力電力は、接続スイッチ１１ａ〜１１ｄを介して、ＤＣ／ＤＣコンバータ１２ａ〜１２ｄに入力され、制御信号２２ａ〜２２ｄから得られる昇圧率の情報に基づき、昇圧を行う。ＤＣ／ＤＣコンバータ１２ａ〜１２ｄの出力電力は加算されてＤＣ／ＡＣインバータ１３に出力される。
コンバータ状態判別部１４は、ＤＣ／ＤＣコンバータ１２ａ〜１２ｄの動作状態、例えば各ＤＣ／ＤＣコンバータ１２ａ〜１２ｄが正常動作しているか故障しているか、あるいは入力端子２０ａ〜２０ｄに太陽電池ユニットが接続されているのか否か等を判別し、判別結果を制御部１５および運転状況蓄積部１６に出力する。また、コンバータ状態判別部１４は、状態計測回路１９にて計測されたＤＣ／ＤＣコンバータ１２ａ〜１２ｄ個々の出力電力値を制御部１５および運転状況蓄積部１６に出力する。
運転状況蓄積部１６は、コンバータ状態判別部１４が出力したＤＣ／ＤＣコンバータ１２ａ〜１２ｄ個々の出力電力値を一定期間蓄積し、各ＤＣ／ＤＣコンバータ１２ａ〜１２ｄの出力電力量の積算値を算出し、この値を蓄積する。なお、この蓄積された出力電力量の積算値は、制御部１５からの要求があれば、随時制御部１５へ出力することができる。また、運転状況蓄積部１６はＤＣ／ＤＣコンバータ１２ａ〜１２ｄ個々の正常動作／故障状態／未使用状態を示す情報を一定期間蓄積し、制御部１５からの要求があれば、この蓄積情報を制御部１５に出力する。
制御部１５は、コンバータ状態判別部１４から得られるＤＣ／ＤＣコンバータ１２ａ〜１２ｄ個々の動作状態の情報と、運転状況蓄積部１６から得られる、ＤＣ／ＤＣコンバータ１２ａ〜１２ｄ個々の過去の出力電力値の情報をもとに、接続スイッチ１１ａ〜１１ｄを制御する。
なお、運転状況蓄積部１６に蓄積する情報は、上述のように各ＤＣ／ＤＣコンバータ１２ａ〜１２ｄ個々の出力電力量を蓄積するだけでもよいし、コンバータ切替回路１１の接続情報を利用して各太陽電池ユニット２ａ〜２ｄの発電量として蓄積してもよい。さらに運転状況蓄積部１６は、太陽電池ユニット２ａ〜２ｄとコンバータ切替回路１１の間から直接発電量を入手して、各太陽電池ユニット２ａ〜２ｄの発電量として蓄積してもよい。
【００２０】
ここで制御部１５における接続スイッチ１１ａ〜１１ｄの制御方法の説明のために、一例としてＤＣ／ＤＣコンバータ１２ａ〜１２ｄ個々で発生した過去の出力電力量の積算値がそれぞれＰａ、Ｐｂ、Ｐｃ、Ｐｄ（Ｐａ＞Ｐｃ＞Ｐｂ＞Ｐｄ）であった時の制御方法について説明する。またこの状態で、ＤＣ／ＤＣコンバータ１２ｂが故障し、それ以外のＤＣ／ＤＣコンバータは正常に動作している場合を想定する。なお、パワーコンディショナ１００の構成において、太陽電池ユニット２ａ〜２ｄの発電電力はそのまま各ＤＣ／ＤＣコンバータ１２ａ〜１２ｄの入力電力となるので、ＤＣ／ＤＣコンバータ１２ａ〜１２ｄの入力電力または出力電力量を計測することにより、太陽電池ユニット２ａ〜２ｄ個々の発電電力を得ることができる。
【００２１】
ＤＣ／ＤＣコンバータ１２ｂに故障が発生すると、コンバータ状態判別部１４はＤＣ／ＤＣコンバータ１２ｂのみ故障状態であり、他のＤＣ／ＤＣコンバータ１２ａ、１２ｃ、１２ｄは正常状態であることを検出し、その検出結果を制御部１５に出力する。制御部１５は、ＤＣ／ＤＣコンバータ１２ｂの故障を検出した場合、コンバータ状態判別部１４における各ＤＣ／ＤＣコンバータの１２ａ〜１２ｄの動作状態の情報から、未使用のＤＣ／ＤＣコンバータが存在するか否かを検出する。未使用のＤＣ／ＤＣコンバータが存在する場合は、実施の形態１にて説明したように、未使用のＤＣ／ＤＣコンバータを故障したＤＣ／ＤＣコンバータ１２ｂの代替えとして使用し、太陽電池ユニット２ｂからの発電電力を継続してＤＣ／ＡＣインバータ１３に供給する。未使用のＤＣ／ＤＣコンバータが存在しない場合、制御部１５は、コンバータ状態判別部から得られた検出結果と、運転状況蓄積部１６に蓄積された各ＤＣ／ＤＣコンバータ１２ａ〜１２ｄ個々の過去の積算出力電力量の値とから、太陽電池ユニット２ａ〜２ｄにおける個々の積算出力電力量Ｐａ、Ｐｂ、Ｐｃ、Ｐｄを運転状況蓄積部１６から読み出す。
さらに、制御部１５は、故障したＤＣ／ＤＣコンバータ１２ｂに接続されている太陽電池ユニット２ｂの積算出力電力量Ｐｂと、他の太陽電池ユニット２ａ、２ｃ、２ｄの積算出力電力量Ｐａ、Ｐｃ、Ｐｄを運転状況蓄積部１６から読み出して比較する。ここで、Ｐａ＞Ｐｃ＞Ｐｂ＞Ｐｄであることから、太陽電池ユニット２ｂの積算出力電力量Ｐｂより発電量が少ないのは積算出力電力量Ｐｄの太陽電池ユニット２ｄである。この結果から、今後も太陽電池ユニット２ｄによる発電出力は、故障したＤＣ／ＤＣコンバータ１２ｂに接続されていた太陽電池ユニット２ｂに比べ少ないと推定できる。
以上のことから、パワーコンディショナ１００においては、一番発電量の少ない太陽電池ユニット２ｄからの発電電力を使用せずに、太陽電池ユニット２ｂの発電電力を優先して使用する。すなわち故障したＤＣ／ＤＣコンバータ１２ｂに代えて、太陽電池ユニット２ｄに接続されていたＤＣ／ＤＣコンバータ１２ｄを用いて発電電力を継続使用する。これによりＤＣ／ＤＣコンバータの故障によるパワーコンディショナ１００全体の発電量の低下を抑えた状態で発電を継続することができる。
【００２２】
次に図５におけるパワーコンディショナ１００の具体的な動作について、図６、図７、図８を用いて説明する。図６、図７、図８はこの発明の実施の形態２に示すパワーコンディショナ１００の動作を示すフロー図である。パワーコンディショナ１００は、太陽電池ユニット２ａ〜２ｄが接続されており、通常動作時、各太陽電池ユニット２ａ〜２ｄの発電電力はコンバータ切替回路１１を介してＤＣ／ＤＣコンバータ１２ａ〜１２ｄに一対一で入力する。ＤＣ／ＤＣコンバータ１２ａ〜１２ｄの出力電力は加算されたのちＤＣ／ＡＣインバータ１３に出力され、直流交流変換の処理を行ったのち交流電力は系統電源３に出力される。
また、各ＤＣ／ＤＣコンバータ１２ａ〜１２ｄの昇圧率Ｂｓａ〜Ｂｓｄは、Ｖｉａ〜ＶｉｄをＤＣ／ＤＣコンバータ１２ａ〜１２ｄの入力電圧、Ｖｏａ〜ＶｏｄをＤＣ／ＤＣコンバータ１２ａ〜１２ｄの出力電圧とすると、制御部１５はＢｓａ＝Ｖｏａ／Ｖｉａ＞１、Ｂｓｂ＝Ｖｏｂ／Ｖｉｂ＞１，Ｂｓｃ＝Ｖｏｃ／Ｖｉｃ＞１、Ｂｓｄ＝Ｖｏｄ／Ｖｉｄ＞１という値が制御信号２２ａ〜２２ｄを介して各ＤＣ／ＤＣコンバータ１２ａ〜１２ｄに設定され、各ＤＣ／ＤＣコンバータ１２ａ〜１２ｄはこの昇圧率にて昇圧動作を行う。
ここで、状態計測回路１９にて検出される各ＤＣ／ＤＣコンバータ１２ａ〜１２ｄの動作状態、例えばＤＣ／ＤＣコンバータ１２ａ〜１２ｄの出力電圧値および出力電流値は、コンバータ状態判別部１４に出力される（Ｓ１１）。ここで、各ＤＣ／ＤＣコンバータ１２ａ〜１２ｄの入出力電圧は以下の通りである。
ＤＣ／ＤＣコンバータ１２ａの入力電圧＝Ｖｉａ＞０、出力電圧＝Ｖｏａ＞０
ＤＣ／ＤＣコンバータ１２ｂの入力電圧＝Ｖｉｂ＞０、出力電圧＝Ｖｏａ＝０  
ＤＣ／ＤＣコンバータ１２ｃの入力電圧＝Ｖｉｃ＞０、出力電圧＝Ｖｏｃ＞０
ＤＣ／ＤＣコンバータ１２ｄの入力電圧＝Ｖｉｄ＞０、出力電圧＝Ｖｏｄ＞０
【００２３】
コンバータ状態判別部１４は、各ＤＣ／ＤＣコンバータの出力電圧値と、制御信号２２ａ〜２２ｄにより得られるＤＣ／ＤＣコンバータの昇圧率Ｂｓａ〜Ｂｓｄとを用いて、各ＤＣ／ＤＣコンバータの状態を、正常状態／故障／未使用のいずれの状態であるかを判定する。ここでコンバータ状態判別部１４におけるＤＣ／ＤＣコンバータの１２ａ〜１２ｄの動作状態を以下のように判定する。
（i）ＤＣ／ＤＣコンバータ１２ａの昇圧率は入力電圧と出力電圧の関係から、Ｖｏａ／Ｖｉａ＝Ｂｓａとなり、制御部１５から指示のあった昇圧率にて昇圧／降圧処理が行われるので正常状態と判断。同様に、ＤＣ／ＤＣコンバータ１２ｃの昇圧率＝Ｖｏｃ／Ｖｉｃ＝Ｂｓｃ、１２ｄの昇圧率＝Ｖｏｄ／Ｖｉｄ＝Ｂｓｄとなり、正常状態と判断。
（ii）ＤＣ／ＤＣコンバータ１２ｂは、昇圧率＝Ｖｏｂ／Ｖｉｂ＝０となり、制御部１５から設定された昇圧率Ｂｓｂ＞１と異なるので故障状態と判断。
（iii）（ｉ）、（ｉｉ）の判別結果から、未使用のＤＣ／ＤＣコンバータは存在しないと判断。
さらにコンバータ状態判別部１４は、各状態計測回路１９から出力されるＤＣ／ＤＣコンバータ１２ａ〜１２ｄ個々における現在の出力電圧値および出力電流値から、ＤＣ／ＤＣコンバータ個々の現在の出力電力を算出する。コンバータ状態判別部１４は制御部１５にＤＣ／ＤＣコンバータ１２ａ〜１２ｄの動作状態を出力するとともに、運転状況蓄積部１６にＤＣ／ＤＣコンバータ１２ａ〜１２ｄの消費電力量を出力する（Ｓ１２）。
【００２４】
制御部１５は、コンバータ状態判別部１４から出力されたＤＣ／ＤＣコンバータの動作状態の情報から、故障したＤＣ／ＤＣコンバータの有無を確認する（Ｓ１３）。各ＤＣ／ＤＣコンバータ１２ａ〜１２ｄに故障が無い場合は処理を終了するが、ＤＣ／ＤＣコンバータ１２ａ〜１２ｄのうちいずれかの故障を検出した場合、制御部１５は接続スイッチ１１ａ〜１１ｄを制御して、故障したＤＣ／ＤＣコンバータとそれに接続される太陽電池ユニット（Ａ）との電気的接続を開放する（Ｓ１４）。
【００２５】
次に制御部１５は、コンバータ状態判別部１４から、各ＤＣ／ＤＣコンバータ１２ａ〜１２ｄの動作状態の情報から、未使用のＤＣ／ＤＣコンバータの存在を判別する（S１５）。未使用のＤＣ／ＤＣコンバータが存在する場合は、故障したＤＣ／ＤＣコンバータ１２ｂの入力端子と、太陽電池ユニット２ｂとを接続する接続スイッチ１１ｂを開放状態にする（Ｓ１６）。さらに、接続スイッチ１１ａ〜１１ｄを制御して、太陽電池ユニット２ｂと未使用のＤＣ／ＤＣコンバータとを接続状態にする（Ｓ１７）。
Ｓ１５にて、未使用のＤＣ／ＤＣコンバータが存在しないと判断された場合、制御部１５は、運転状況蓄積部１６からＤＣ／ＤＣコンバータ１２ａ〜１２ｄすべてにおける過去の積算出力電力量を読み出す。ここで、正常に動作しているＤＣ／ＤＣコンバータの中から、過去最も出力電力が少ないＤＣ／ＤＣコンバータの積算出力電力量（ａ）と、故障したＤＣ／ＤＣコンバータの過去の積算出力電力量（ｂ）とを比較する（Ｓ１８）。ここで制御部１５は、（ａ）≧（ｂ）の場合は、特に処理を行わず現在発電している太陽電池ユニットからの発電を継続使用する。一方（ａ）＜（ｂ）の場合は、接続スイッチ１１ａ〜１１ｄを操作して正常に動作しているＤＣ／ＤＣコンバータの中で最も積算出力電力量の少ないＤＣ／ＤＣコンバータと、それに接続されている太陽電池ユニット（Ｂ）との電気的な接続を開放する（Ｓ１９）。さらに制御部１５は、接続スイッチ１１ａ〜１１ｄを操作して、正常に動作しているＤＣ／ＤＣコンバータの中で最も積算出力電力量の少ないＤＣ／ＤＣコンバータ（Ｂ）と、故障したＤＣ／ＤＣコンバータに接続されている太陽電池ユニット（Ａ）とを電気的に接続する（Ｓ２０）。この結果、故障したＤＣ／ＤＣコンバータに接続されていた太陽電池ユニット（Ａ）からの発電電力は、正常動作していたＤＣ／ＤＣコンバータ（Ｂ）を用いて、他の正常に動作しているＤＣ／ＤＣコンバータの出力電力と加算され、系統電源３に出力される。
【００２６】
次に図５におけるパワーコンディショナ１００における動作について、各太陽電池ユニットの積算出力電力量に具体的な数値を用いて説明する。なお、各太陽電池ユニット２ａ〜２ｄにおける、過去の積算出力電力量Ｐａ〜Ｐｄについては、それぞれＰａ＝２０００Ｗｈ、Ｐｂ＝１０００Ｗｈ、Ｐｃ＝１５００Ｗｈ、Ｐｄ＝８００Ｗｈ（Ｐａ＞Ｐｃ＞Ｐｂ＞Ｐｄ）とする。
パワーコンディショナ１００において、各ＤＣ／ＤＣコンバータ１２ａ〜１２ｄの動作状態及び各太陽電池ユニット２ａ〜２ｄにおける過去の発電電力量の積算値は、Ｓ１１〜Ｓ１３によって、運転状況蓄積部１６に保存される。ここで、ＤＣ／ＤＣコンバータ１２ｂのみが故障し、他のＤＣ／ＤＣコンバータ１２ａ、１２ｃ、１２ｄは正常な場合は、運転状況蓄積部１６に保存されているＤＣ／ＤＣコンバータ１２ｂの動作状態の情報はＳ１２にて“故障中”、ＤＣ／ＤＣコンバータ１２ａ、１２ｃ，１２ｄは“正常状態”と記録される。制御部１５は、Ｓ１３にてＤＣ／ＤＣコンバータ１２ｂが故障中であることを検知すると、Ｓ１４にて接続スイッチ１１ｂを制御して太陽電池ユニット２ｂとＤＣ／ＤＣコンバータ１２ｂの電気的な接続を開放する。次にＳ１５にて未使用状態のＤＣ／ＤＣコンバータが存在しないことを確認する。
ここで、正常に動作しているＤＣ／ＤＣコンバータ１２ａ、１２ｃ、１２ｄの過去の積算出力電力の中で最も少ないのはＤＣ／ＤＣコンバータ１２ｄのＰｄ＝８００Ｗｈ、一方故障したＤＣ／ＤＣコンバータ１２ｂの過去の積算出力電力量Ｐｂ＝１０００Ｗｈであり、Ｐｄ＜Ｐｂとなる（Ｓ１８）。この結果、Ｓ１９にてＤＣ／ＤＣコンバータ１２ｄと、それに接続されている太陽電池ユニット２ｄは接続スイッチ１１ｄにより電気的に開放される。この後Ｓ２０にて太陽電池ユニット２ｂとＤＣ／ＤＣコンバータ１２ｄが接続スイッチ１１ｄによって電気的に接続される。この結果、太陽電池ユニット２ｂの発電電力は、ＤＣ／ＤＣコンバータ１２ｄを介して他のＤＣ／ＤＣコンバータ１２ａ、１２ｃ、１２ｄの出力電力とともに加算され、ＤＣ／ＡＣインバータ１３を経由して交流電力を系統電源３に出力する。
【００２７】
本実施の形態においては、各ＤＣ／ＤＣコンバータ１２ａ〜１２ｄに接続された太陽電池ユニットにおける過去の発電電力量の積算値を算出し、ＤＣ/ＤＣコンバータの故障を検知した際に未使用のＤＣ／ＤＣコンバータが存在しない場合は、一番積算発電量の少ない太陽電池ユニットに接続されたＤＣ/ＤＣコンバータを故障したＤＣ/ＤＣコンバータと入れ替えて発電を続けるように動作させる。この結果、各ＤＣ／ＤＣコンバータ１２ａ〜１２ｄに故障が発生した際には、過去の積算発電量の多い太陽電池ユニットを優先して動作させることができるので、ＤＣ／ＤＣコンバータの故障時もパワーコンディショナ全体の出力電力量を極力低下させずにパワーコンディショナを継続運転できる。
【００２８】
なお、前記図５から図８では、パワーコンディショナ１００において正常動作しているＤＣ／ＤＣコンバータ１２ａ〜１２ｄの中から、各ＤＣ／ＤＣコンバータの過去の積算発電電力量を用いて、故障したＤＣ／ＤＣコンバータ１２ｂの代替のＤＣ／ＤＣコンバータを選択していた。しかし各ＤＣ／ＤＣコンバータ１２ａ〜１２ｄの過去の積算発電電力量以外に、各ＤＣ／ＤＣコンバータ１２ａ〜１２ｄの過去の平均発電電力量を運転状況蓄積部１６に蓄積し、制御部１５にてこの情報を用いて代替のＤＣ／ＤＣコンバータを選択するようにしてもよい。
例えば、複数の太陽電池ユニットの接続されたパワーコンディショナにおいて、一部の太陽電池ユニットが未接続の状態で運転中、新たに太陽電池ユニットが追加接続された場合は、この太陽電池ユニットに関する過去の積算発電電力量を用いることができない。このような場合には、太陽電池ユニットに接続されたＤＣ／ＤＣコンバータの中から、過去の平均発電電力量が少ないＤＣ／ＤＣコンバータを代替えとして選択することができる。
【００２９】
具体的には各ＤＣ／ＤＣコンバータ１２ａ〜１２ｄに接続された太陽電池ユニットにおける現在の発電電力を運転状況蓄積部１６から読み出し、ＤＣ/ＤＣコンバータの故障を検知した際には、正常に動作しているＤＣ／ＤＣコンバータの中から一番発電電力の少ない太陽電池ユニットに接続されたＤＣ/ＤＣコンバータを故障したＤＣ/ＤＣコンバータと入れ替えて発電を続ける。
この結果、ＤＣ／ＤＣコンバータの故障が発生した際には現在の発電電力が大きい太陽電池ユニットからの発電電力を優先して使用することから、ＤＣ／ＤＣコンバータの故障に伴うパワーコンディショナ全体の出力電力量を極力低下させずにパワーコンディショナを継続運転できる。
【符号の説明】
【００３０】
１      ：パワーコンディショナ
２ａ    ：太陽電池ユニット
２ｂ    ：太陽電池ユニット
２ｃ    ：太陽電池ユニット
２ｄ    ：太陽電池ユニット
３      ：系統電源
４      ：インターネット
５      ：外部機器
１１    ：コンバータ切替回路
１１ａ  ：接続スイッチ
１１ｂ  ：接続スイッチ
１１ｃ  ：接続スイッチ
１１ｄ  ：接続スイッチ
１２    ：ＤＣ／ＤＣコンバータ
１２ａ  ：ＤＣ／ＤＣコンバータ
１２ｂ  ：ＤＣ／ＤＣコンバータ
１２ｃ  ：ＤＣ／ＤＣコンバータ
１２ｄ  ：ＤＣ／ＤＣコンバータ
１３    ：ＤＣ／ＡＣインバータ
１４    ：コンバータ状態判別部
１５    ：制御部
１６    ：運転状況蓄積部
１７    ：外部通信部
１８    ：ＤＣ／ＤＣコンバータ回路
１９    ：状態計測回路
２０ａ  ：入力端子
２０ｂ  ：入力端子
２０ｃ  ：入力端子
２０ｄ  ：入力端子
２１ａ  ：出力端子
２１ｂ  ：出力端子
２１ｃ  ：出力端子
２１ｄ  ：出力端子
２２ａ  ：制御信号
２２ｂ  ：制御信号
２２ｃ  ：制御信号
２２ｄ  ：制御信号
３０    ：制御信号
３１    ：電流電圧系
１００  ：パワーコンディショナ
Ｂｓａ  ：昇圧率
Ｂｓｂ  ：昇圧率
Ｐａ    ：積算出力電力量
Ｐｂ    ：積算出力電力量
Ｐｃ    ：積算出力電力量
Ｐｄ    ：積算出力電力量
【図１】
2018074847.tif 000003
【図２】
2018074847.tif 000004
【図３】
2018074847.tif 000005
【図４】
2018074847.tif 000006
【図５】
2018074847.tif 000007
【図６】
2018074847.tif 000008
【図７】
2018074847.tif 000009
【図８】
2018074847.tif 000010